(57)【要約】      （修正有）【課題】ヒットされたゴルフボールに効果的に順方向（オーバースピン）をかけることができ、転がりの良いパター用ゴルフクラブヘッドを提供する。【解決手段】パター用ゴルフクラブヘッドは、ゴルフボール８をヒットするフェース面２１と、このフェース面２１の後側の背面２２と、フェース面２１と背面２２の上部をつなぐクラウン２３と、フェース面２１と背面２２の下部をつなぐソール２４とを備えたパター用ゴルフクラブヘッドにおいて、フェース面２１は、ソール２４を地表（グリーン面）Ｇに接した状態でゴルフボール８の赤道線８１より下の部分がマイナスロフトの角度に設定されている。【選択図】図４
0003185468.tif 000002
【実用新案登録請求の範囲】
【請求項１】
ゴルフボールをヒットするフェース面と、このフェース面後側の背面と、前記フェース面と背面の上部をつなぐクラウンと、前記フェース面と背面の下部をつなぐソールとを備えたパター用ゴルフクラブヘッドにおいて、
前記フェース面は、前記ソールを地表に接した状態でゴルフボールの赤道線より下の部分がマイナスロフトの角度に設定されていることを特徴とするパター用ゴルフクラブヘッド。
【請求項２】
前記フェース面は、前記ソールを地表に接した状態でゴルフボールの赤道線より下の部分が湾曲面に形成されていることを特徴とする請求項１に記載のパター用ゴルフクラブヘッド。
【考案の詳細な説明】
【技術分野】
【０００１】
この考案は、パター用ゴルフクラブヘッドに関するものである。
【背景技術】
【０００２】
パッティングは、地表（グリーン面）、主としてグリーン上を転がすことを目的とするものであり、ゴルフボールを飛球させることを目的とする他のショットとは異なる。
【０００３】
パターにより打球された直後のゴルフボールの挙動は、様々である。パターにより打球された直後のゴルフボールの好ましくない挙動の一つとしてとしてバックスピンがある。
【０００４】
従来のパターにおいては、フェース面に３°前後のロフト角がついている。僅かであるがロフト角がついているのは、最初に必要以上のバックスピンを与えずにゴルフボールを少し浮かせ、同時に狙った方向にゴルフボールを飛ばすことでゴルフボールにいち早く順回転（オーバースピン）を与えるためである。
【０００５】
バックスピンがかかっている間、ゴルフボールは地表（グリーン面）を転がりながら移動するのではなく、滑りながら移動する。このバックスピンは、地表（グリーン面）とゴルフボールとの摩擦力により、やがて解消される。バックスピンが解消されたゴルフボールは、順回転し、転がりながら移動する。このバックスピンは、ゴルフボールの転がりの距離を低下させることになる。上記のように、必要以上のバックスピンを与えずに、ゴルフボールをヒットすることは、大変難しく、アマチュアゴルファーでは、過度のバックスピンを与えることが多い。
【０００６】
また、パターにより打球されたゴルフボールが、飛び上がったりして一瞬地表（グリーン面）から離れる場合がある。地表（グリーン面）を離れている間、ゴルフボールはグリーンの傾斜の影響を受けない。よって、ゴルフボールが地表（グリーン面）から離れた場合のパッティングライン（打球位置からカップインまでのゴルフボールの軌跡）は、ゴルフボールが地表（グリーン面）から離れない場合のパッティングラインとは相違する。更に、空中を飛ぶ距離によって、パッティングラインが相違する。このパッティングラインの相違は、パッティングラインの予測を困難とし、カップインの確率を低下させることになる。
【０００７】
したがって、カップインの確率を高めるためには、ヒットされたゴルフボールの転がりの良さが重要といえる。転がりの良い状態とは、ヒット後のゴルフボールがいち早く順回転するとともに、ゴルフボールが過度に空中を飛ぶことが無い状態である。転がりの良さは、パッティングラインを予測しやすくし、且つ、転がり距離を長くする。
【０００８】
一方、ヒットされたゴルフボールが確実に目標に向かって転がるように、垂直に湾曲した打球面（フェース面）を備えるパター（以下、単に、湾曲面パターという。）が種々提案されている。湾曲面パターは、ゴルフボールの半径より大きな半径を有する湾曲した打球面を備えている。一般的なゴルフボールの直径は、４．２６センチメートル（１．６８インチ）である。
【０００９】
湾曲面パターを用いた場合においても、パターに打球されたゴルフボールが不要な飛び上がりや初期滑りが生じることがある。そこで、ゴルフボールの真っ直ぐなライン軌跡の正確性を実質的に増加させるために、パターのフェース高さに応じて湾曲面の曲率半径を変えるようにしたパターが提案されている（特許文献１参照）。
【先行技術文献】
【特許文献】
【００１０】
【特許文献１】特表２０００−５１０３８２号公報
【考案の概要】
【考案が解決しようとする課題】
【００１１】
上記した特許文献１における湾曲面パターにおいても打球面には、３°のロフト角を中心としたプラス角度のロフト角が設けられている。このため、この特許文献１におけるパターにおいてもゴルフボールが過度に空中を飛ぶ恐れがある。
【００１２】
この考案は、ヒットされたゴルフボールに効果的に順方向（オーバースピン）をかけることができ、転がりの良いパター用ゴルフクラブヘッドを提供することを課題とする。
【課題を解決するための手段】
【００１３】
この考案のパター用ゴルフクラブヘッドは、ゴルフボールをヒットするフェース面と、このフェース面後側の背面と、前記フェース面と背面の上部をつなぐクラウンと、前記フェース面と背面の下部をつなぐソールとを備えたパター用ゴルフクラブヘッドにおいて、前記フェース面は、前記ソールを地表（グリーン面）に接した状態でゴルフボールの赤道線より下の部分がマイナスロフトの角度に設定されていることを特徴とする。
【００１４】
また、前記フェース面は、前記ソールを地表（グリーン面）に接した状態でゴルフボールの赤道線より下の部分が湾曲面に形成することができる。
【考案の効果】
【００１５】
この考案のゴルフ用パターヘッドはソールが地表（グリーン面）すれすれの状態からゴルフボールの赤道線近辺までの間隔で、ゴルフボールをヒットすることで、地表（グリーン面）Ｇに向かって僅かに下向きに力が加わることなり、ゴルフボールに順方向（オーバースピン）が与えられ、転がりの良い状態が得られる。
【図面の簡単な説明】
【００１６】
【図１】この考案のパター用ゴルフクラブヘッドを用いたパターの全体図である。
【図２】この考案のパター用ゴルフクラブヘッドでゴルフボールをヒットする状態を示す模式図である。
【図３】この考案のパター用ゴルフクラブヘッドを地表（グリーン面）に接した時のゴルフボールとの関係を示す模式図である。
【図４】この考案のパター用ゴルフクラブヘッドを地表（グリーン面）に接した時のゴルフボールとの関係を示す拡大した模式図である。
【図５】この考案のパター用ゴルフクラブヘッドでゴルフボールをヒットした時の関係を示す拡大した模式図である。
【考案を実施するための形態】
【００１７】
この考案の実施の形態について図面を参照しながら詳細に説明する。なお、図中同一または相当部分には同一符号を付し、説明の重複を避けるためにその説明は繰返さない。
【００１８】
図１に示すように、ゴルフパター１は、ゴルフパター用ヘッド２、シャフト３及びグリップ４を有する。
【００１９】
図２〜図４に示すように、ゴルフパター用ヘッド２にシャフト３の一端が装着されている。ゴルフパター用ヘッド２は、ゴルフボール８をヒットするフェース面２１と、フェース面２１の後側の背面２２と、フェース面２１と背面２２の上部をつなぐクラウン２３と、フェース面２１と背面２２の下部をつなぐソール２４とを備えている。
【００２０】
ゴルフパター用ヘッド２は、ステンレス、アルミニウム合金、銅、真鍮、軟鉄、タングステン合金、純チタン及びチタン合金などの金属が用いられ、これら金属を単体、或いは複数の材料を組み合わせて用いられる。また、フェース面２１は、樹脂などがインサートされて用いられることもある。
【００２１】
図４に示すように、このゴルフパター用ヘッド２は、ソール２４を地表（グリーン面）Ｇに接した状態で、フェース面２１をゴルフボール８に当接させる。この状態で、ゴルフボール８の赤道線８１と接する箇所２１ｄから下の部分のロフト角が−３°程度のマイナスのロフト角に設定されている。即ち、地表（グリーン面）Ｇに対する垂直線Ｃに対して、フェース面２１のゴルフボール８の赤道線８１と接する箇所２１ｄの接線２１ｓとの間の角度αが−３°程度のマイナスのロフト角になっている。
【００２２】
この接線２１ｓと直交する方向２１ｈに、ゴルフボール８をヒットした時に力が加わることになる。この方向２１ｈは、地表（グリーン面）Ｇ方向に向かって僅かに下向きとなる。その結果、ヒットされたゴルフボール８には、順方向（オーバースピン）の回転が容易に与えられ、転がりの良い状態が得られる。
【００２３】
この実施形態では、ゴルフボール８の赤道線８１と接する箇所２１ｄから下の部分が湾曲面に形成されている。そして、湾曲面の接線がマイナスのロフト角になるように、フェース面２１を形成している。
【００２４】
通常、ゴルフパター１により、ゴルフボール８をヒットする場合、図２に示すように、地表（グリーン面）Ｇより、１センチメートル程度上の線２０をソール２４が通過すると、ゴルフボール８の赤道線８１付近をヒットして、ゴルフボール８に順回転（オーバースピン）を与えて、転がりの良い状態が得られる。
【００２５】
しかし、アマチュアゴルファーの場合、地表（グリーン面）Ｇよりコンスタントに１センチメートル程度上を通過させてゴルフボール８をヒットすることが難しい。地表（グリーン面）Ｇにソール２４が擦れると、ゴルファーは、地表（グリーン面）を擦った感覚が分かり、ミスショットをしたことが分かる。しかし、地表（グリーン面）Ｇに擦れずに、地表（グリーン面）Ｇとの間隔にバラツキがある場合には、フェース面２１とゴルフボール８がどこでヒットされたかは判断することは難しく、転がりの良い状態でヒットしたかどうかは判らない。
【００２６】
そこで、この考案のゴルフ用パターヘッド２は、ソール２４を地表（グリーン面）Ｇに接した状態で、ゴルフボール８の赤道線８１と接する箇所２１ｄから下の部分のロフト角が−３°程度のマイナスのロフト角に設定し、図５に示すように、所定の間隔より上側でヒットした場合も、フェース面２１がゴルフボール８と接する接線と直交する方向２１ｈ’は地表（グリーン面）Ｇに向かって僅かに下向きとなり、ゴルフボール８に順方向（オーバースピン）が与えられ、転がりの良い状態が得られる。
【００２７】
したがって、ソール２４が地表（グリーン面）すれすれの状態からゴルフボール８の赤道線８１近辺までの間隔で、ゴルフボール８をヒットすることで、地表（グリーン面）Ｇに向かって僅かに下向きに力が加わることなり、ゴルフボール８に順方向（オーバースピン）が与えられ、転がりの良い状態が得られる。また、湾曲面を構成することで、上下の変位に対してもゴルフボール８に与える力の方向に許容範囲が拡がる。
【００２８】
今回開示された実施の形態はすべての点で例示であって制限的なものではないと考えられるべきである。この考案の範囲は、上記した実施の形態の説明ではなくて特許請求の範囲によって示され、実用新案登録請求の範囲と均等の意味および範囲内でのすべての変更が含まれることが意図される。
【符号の説明】
【００２９】
１      ゴルフパター
２      ゴルフ用パターヘッド
２      ゴルフパター用ヘッド
３      シャフト
４      グリップ
８      ゴルフゴルフボール
８      ゴルフボール
２１    フェース面
２１ｓ  接線
２２    背面
２３    クラウン
２４    ソール
８１    赤道線
【図１】
0003185468.tif 000003
【図２】
0003185468.tif 000004
【図３】
0003185468.tif 000005
【図４】
0003185468.tif 000006
【図５】
0003185468.tif 000007